【手続補正書】
【提出日】平成28年6月24日(2016.6.24)
【手続補正１】
【補正対象書類名】特許請求の範囲
【補正対象項目名】全文
【補正方法】変更
【補正の内容】
【特許請求の範囲】
【請求項１】
セルロース含有物質の表面の処理方法であって、
式（Ｉ）又は式（ＩＩ）：
Ｒ−ＣＯ−Ｘ                          式（Ｉ）
Ｘ−ＣＯ−Ｒ−ＣＯ−Ｘ１              式（ＩＩ）
［式中、Ｒは、炭素原子１０〜４０個を有する、直鎖、分岐鎖又は環状脂肪族炭化水素ラジカルであり、Ｘ及びＸ１は、独立して、Ｃｌ、Ｂｒ又はＯ（ＣＯ）ＯＲである］を有するアルカン酸誘導体と、塩基と、第一溶媒とを含む溶媒組成物を、前記表面に塗布するステップと、
前記表面に塗布された溶媒組成物を加熱するステップと、
第二溶媒で前記表面を濯ぐステップと、
前記の濯がれた表面を乾燥させるステップと
を含み、前記溶媒組成物は、前記セルロース含有物質の表面が有するヒドロキシル基の少なくとも一部をエステル化する、方法。
【請求項２】
前記処理されたセルロース含有物質の表面は、前記処理をされていないセルロース含有物質の表面に比べて、より高い疎水性を示す、請求項１に記載の方法。
【請求項３】
前記塩基は、非求核性塩基である、請求項１に記載の方法。
【請求項４】
前記塩基は、有機塩基である、請求項３に記載の方法。
【請求項５】
前記有機塩基は、アジリジン、アゼチジン、ピペラジン、ピペリジン、ピリジン、ビピリジン、テルピリジン、ジヒドロピリジン、モルホリン、Ｎ−アルキルモルホリン、１，４−ジアザビシクロ［２．２．２］オクタン、１，８−ジアザビシクロウンデカン、１，８−ジアザビシクロウンデセン、ジメチル化ペンチルアミン、トリメチル化ペンチルアミン、ピリミジン、ピロール、ピロリジン、ピロリジノン、インドール、インドリン、インダノン、ベンズインダゾン、イミダゾール、ベンズイミダゾール、イミダゾロン、イミダゾリン、オキサゾール、イソオキサゾール、オキサゾリン、オキサジアゾール、チアジアゾール、カルバゾール、キノリン、イソキノリン、ナフチリジン、トリアジン、トリアゾール、テトラゾール、トリエチルアミン、ピラゾール、ピラゾリン及びこれらの組み合わせからなる群から選択される、請求項４に記載の方法。
【請求項６】
前記第一溶媒及び前記第二溶媒は、ペンタン、ヘキサン、ヘプタン、オクタン、石油エーテル、ナフサ、ケロシン、石油、灯油、ベンゼン、トルエン、キシレン、メシチレン、エチルベンゼン、ジエチルベンゼン、塩化メチレン、クロロホルム、１，２−ジクロロ−エタン、クロロベンゼン、四塩化炭素、テトラブロモエチレン、シクロペンタン、シクロヘキサン、メチルシクロヘキサン、アニソール（メチルフェニルエーテル）、ｔｅｒｔ−ブチルメチルエーテル、ジベンジルエーテル、ジエチルエーテル、ジオキサン、ジフェニルエーテル、メチルビニルエーテル、テトラヒドロフラン、トリイソプロピルエーテル、ジエチレングリコールジエチルエーテル、ジエチレングリコールジメチルエーテル（ジグリム）、ジエチレングリコールモノブチルエーテル、ジエチレングリコールモノメチルエーテル、１，２−ジメトキシエタン（ＤＭＥ、モノグリム）、エチレングリコールモノブチルエーテル、トリエチレングリコールジメチルエーテル（トリグリム）、トリエチレングリコールモノメチルエーテル、アセトン、ジイソブチルケトン、メチルｎ−プロピルケトン、メチルエチルケトン、メチルイソブチルケトン、ギ酸メチル、酢酸メチル、酢酸エチル、酢酸ｎ−プロピル、酢酸ｎ−ブチル及びこれらの組み合わせからなる群から選択される、請求項１に記載の方法。
【請求項７】
前記セルロース系物質は、ナノセルロース、セルロースナノ繊維、ウィスカー又はミクロフィブリル、ミクロフィブリル化セルロース又はナノフィブリルセルロース、サトウキビセルロース、綿又は綿混紡及びこれらの組み合わせからなる群から選択されるセルロースを含む、請求項１に記載の方法。
【請求項８】
前記セルロース系物質は、食品保存用カートン、食品保存用袋、買物袋、食器、温かい又は冷たい飲物を入れる容器、カップ、プレート、炭酸液体貯蔵用ビン、非炭酸液体貯蔵用ビン、食品包装用フィルム、生ごみ処理容器、食品取扱用具、織物繊維、貯水及び水運搬器具、アルコール飲料又はノンアルコール飲料の貯蔵及び運搬器具、電気製品用外箱又はスクリーン、家具の内部又は外部部品、カーテン、内装品、箱、トレー、パイプ、導水管、衣類、医療機器、避妊具、野外キャンプ用具、物体に成形されたセルロース性物質、及びこれらの組み合わせからなる群から選択される、請求項１に記載の方法。
【請求項９】
前記アルカン酸誘導体は、酸塩化物、酸臭化物、酸ヨウ化物、無水物、ケテン、ジケテン、クロロフェノールエステル、炭酸ジエステル、２，５−ジケトオキサゾリジン、イサチン酸無水物、イソシアネート、カルバモイルクロリド、チオシアネート、チオカルバモイルクロリド、塩化スルホニル、スルホン酸無水物、Ｎ−クロロスルホンアミド、スルフィン酸クロリド、Ｎ−クロロスルフィンアミド及びこれらの組み合わせからなる群から選択され、且つ前記セルロース含有物質の前記処理により生じた表面は、９０°より大である水接触角を示す、請求項１に記載の方法。
【請求項１０】
前記エステル化されたヒドロキシル基は、約−１００℃〜約３００℃の温度で安定している、請求項１に記載の方法。
【請求項１１】
前記セルロース含有物質の表面上で前記エステル化されたヒドロキシル基の一部は、約４０％より大きい、請求項１に記載の方法。
【請求項１２】
前記セルロース含有物質の表面上で前記エステル化されたヒドロキシル基の一部は、約５０％より大きい、請求項１に記載の方法。
【請求項１３】
前記セルロース含有物質の表面上で前記エステル化されたヒドロキシル基の一部は、約６０〜９０％である、請求項１に記載の方法。
【請求項１４】
前記処理されたセルロース系物質の表面を、食品保存用カートン、食品保存用袋、買物袋、食器、温かい又は冷たい飲物を入れる容器、カップ、プレート、炭酸液体貯蔵用ビン、非炭酸液体貯蔵用ビン、食品包装用フィルム、生ごみ処理容器、食品取扱用具、織物繊維、貯水及び水運搬器具、アルコール飲料又はノンアルコール飲料の貯蔵及び運搬器具、電気製品用外箱又はスクリーン、家具の内部又は外部部品、カーテン、内装品、箱、トレー、パイプ、導水管、衣類、医療機器、避妊具、野外キャンプ用具、物体に成形されたセルロース性物質、及びこれらの組み合わせからなる群から選択される製品が有するようにする、請求項１に記載の方法。
【請求項１５】
前記エステル化されたセルロース含有物質は、約２０バーラー単位未満の水蒸気透過性を有する、請求項２７に記載のセルロース含有物質。
【請求項１６】
前記エステル化されたセルロース含有物質は、約１０バーラー単位未満の酸素透過性を有する、請求項２７に記載のセルロース含有物質。
【請求項１７】
前記セルロース含有物質の表面は、９０°より大である水接触角を示す、請求項１に記載のプロセスから得られる製品。
【請求項１８】
前記エステル化されたヒドロキシル基は、約−１００℃〜約３００℃の温度で安定したものである、請求項１７に記載の製品。
【請求項１９】
処理後の前記表面の水蒸気透過性は、約２０バーラー単位未満である、請求項１７に記載の製品。
【請求項２０】
処理後の前記表面の酸素透過性は、約１０バーラー単位未満である、請求項１７に記載の製品。
【請求項２１】
前記セルロース含有物質の表面上で前記エステル化されたヒドロキシル基の一部は、４０％より大きい、請求項１７に記載の製品。
【請求項２２】
前記セルロース含有物質の表面上で前記エステル化されたヒドロキシル基の一部は、５０％より大きい、請求項１７に記載の製品。
【請求項２３】
前記セルロース含有物質の表面上で前記エステル化されたヒドロキシル基の一部は、約６０〜９０％である、請求項１７に記載の製品。
【請求項２４】
前記製品は生分解性である、請求項１７に記載の製品。
【請求項２５】
前記製品は、食品保存用カートン、食品保存用袋、買物袋、食器、温かい又は冷たい飲物を入れる容器、カップ、プレート、炭酸液体貯蔵用ビン、非炭酸液体貯蔵用ビン、食品包装用フィルム、生ごみ処理容器、食品取扱用具、織物繊維、貯水及び水運搬器具、アルコール飲料又はノンアルコール飲料の貯蔵及び運搬器具、電気製品用外箱又はスクリーン、家具の内部又は外部部品、カーテン、内装品、箱、トレー、パイプ、導水管、衣類、医療機器、避妊具、野外キャンプ用具、及びこれらの組み合わせからなる群から選択される、請求項１７に記載の製品。
【請求項２６】
セルロース含有物質の表面の処理方法であって、
式（Ｉ）又は式（ＩＩ）：
Ｒ−ＣＯ−Ｘ                          式（Ｉ）
Ｘ−ＣＯ−Ｒ−ＣＯ−Ｘ１              式（ＩＩ）
［式中、Ｒは、炭素原子６〜５０個を有する、直鎖、分岐鎖又は環状脂肪族炭化水素ラジカルであり、Ｘ及びＸ１は、独立して、Ｃｌ、Ｂｒ又はＯ（ＣＯ）ＯＲである］を有するアルカン酸誘導体と、塩基と、第一溶媒とを含む溶媒組成物を、前記表面に塗布するステップと、
前記表面に塗布された溶媒組成物を加熱するステップと、
第二の溶媒で前記表面を濯ぐステップと、
前記の濯がれた表面を乾燥させるステップと
を含み、
前記処理されたセルロース含有物質は、９０°より大である水接触角、少なくとも約２００℃までの温度で安定していること、約１０バーラー単位未満の酸素透過性、約２０バーラー単位未満の水蒸気透過性、セルロース含有物質の表面でエステル化されたヒドロキシル基を約４０％より多く含有すること、及びこれらの組み合わせからなる群から選択された特性を示す、方法。
【請求項２７】
セルロース含有物質であって、
前記セルロース含有物質の表面が有するヒドロキシル基の酸素原子の少なくとも一部が、式（Ｉ）：
Ｒ−ＣＯ−
を有するアルカン酸誘導体のアシル基の炭素原子と結合してエステル結合を形成し、
式中、Ｒは、炭素原子１０〜４０個を有する、直鎖、分岐鎖又は環状脂肪族炭化水素ラジカルであり、
前記エステル化されたセルロース含有物質の表面は、９０°より大である水接触角を示す、セルロース含有物質。
【請求項２８】
前記セルロース含有物質の表面上で前記エステル化されたヒドロキシル基の一部は、約４０％より大きい、請求項２７に記載のセルロース含有物質。
【請求項２９】
前記セルロース含有物質の表面上で前記エステル化されたヒドロキシル基の一部は、約５０％より大きい、請求項２７に記載のセルロース含有物質。
【請求項３０】
前記セルロース含有物質の表面上で前記エステル化されたヒドロキシル基の一部は、約６０〜９０％である、請求項２７に記載のセルロース含有物質。
【請求項３１】
前記アルカン酸誘導体のアシル基の炭素原子の数は、１２または１４である、請求項２７に記載のセルロース含有物質。
【請求項３２】
前記セルロース含有物質は、食品保存用カートン、食品保存用袋、買物袋、食器、温かい又は冷たい飲物を入れる容器、カップ、プレート、炭酸液体貯蔵用ビン、非炭酸液体貯蔵用ビン、食品包装用フィルム、生ごみ処理容器、食品取扱用具、織物繊維、貯水及び水運搬器具、アルコール飲料又はノンアルコール飲料の貯蔵及び運搬器具、電気製品用外箱又はスクリーン、家具の内部又は外部部品、カーテン、内装品、箱、トレー、パイプ、導水管、衣類、医療機器、避妊具、野外キャンプ用具、及びこれらの組み合わせからなる群から選択される、請求項２７に記載のセルロース含有物質。
【請求項３３】
前記セルロース含有物質は生分解性である、請求項２７に記載のセルロース含有物質。
【請求項３４】
前記セルロース含有物質は、ナノセルロース、セルロースナノ繊維、ウィスカー又はミクロフィブリルセルロース、ミクロフィブリル化セルロース又はナノフィブリルセルロース、サトウキビセルロース、綿又は綿混紡及びこれらの組み合わせからなる群から選択されるセルロースを含む、請求項２７に記載のセルロース含有物質。
【請求項３５】
セルロース含有物質であって、
前記セルロース含有物質の表面が有するヒドロキシル基の酸素原子の少なくとも一部が、式（Ｉ）：
Ｒ−ＣＯ−
を有するアルカン酸誘導体のアシル基の炭素原子と結合してエステル結合を形成し、
式中、Ｒは、炭素原子１０〜４０個を有する、直鎖、分岐鎖又は環状脂肪族炭化水素ラジカルであり、
前記エステル化されたセルロース含有物質の表面は、９０°より大である水接触角を示し、前記セルロース含有物質の表面上で前記エステル化されたヒドロキシル基の一部は、約４０％より大きく、前記エステル化されたセルロース含有物質は、約１０バーラー単位未満の酸素透過性および約２０バーラー単位未満の水蒸気透過性を有し、前記エステル化されたヒドロキシル基は、約−１００℃〜約３００℃の温度で安定したものである、セルロース含有物質。